【手続補正書】
【提出日】平成24年12月3日(2012.12.3)
【手続補正１】
【補正対象書類名】特許請求の範囲
【補正対象項目名】全文
【補正方法】変更
【補正の内容】
【特許請求の範囲】
【請求項１】
しっかりと安定した水クラスタを含む製品であって、
しっかりと安定した前記水クラスタは、内部電界による電気双極子相互作用によって互いに連結された複数の水分子を含み、前記複数の水分子は永久電気双極子モーメントを含み、しっかりと安定した前記水クラスタを取り囲む電界が存在する製品。
【請求項２】
しっかりと安定した前記水クラスタは、通常の室温および大気圧において安定している、
請求項１に記載の製品。
【請求項３】
しっかりと安定した前記水クラスタを含有する水、しっかりと安定した前記水クラスタを含む石油成分、しっかりと安定した前記水クラスタが含まれるスキンケア成分、しっかりと安定した前記水クラスタが含まれる健康効果を生じる成分及びしっかりと安定した前記水クラスタを含む更なる材料からなる群から選ばれる少なくとも１つを含む、
請求項１に記載の製品。
【請求項４】
しっかりと安定した前記水クラスタは、リング形状の構造、複数の前記リング形状の構造が接合された構造、線形構造、腎臓のような形状の構造、螺旋構造及び二重螺旋構造、からなる群から選ばれる構造を有する、
請求項１に記載の製品。
【請求項５】
しっかりと安定した前記水クラスタを含む小さな水滴が懸濁しているエマルションの形態のしっかりと安定した前記水クラスタを含む更なる成分を含む請求項１に記載の製品。
【請求項６】
製品を製造する方法であって、
前記製品中にしっかりと安定した水クラスタが形成されるように水を処理する段階を備え、
しっかりと安定した前記水クラスタは、イオンの内部電界による電気双極子相互作用によって互いに連結された複数の水分子を含み、
前記複数の水分子は、永久電気双極子モーメントを含み、
しっかりと安定した前記水クラスタを取り囲む電界が存在する、
方法。
【請求項７】
前記水を処理する段階は、しっかりと安定した水クラスタが形成されるまで、物質を希釈水である特定の品質の水で複数倍に希釈する段階を備える、
請求項６に記載の方法。
【請求項８】
前記希釈する段階は、アルゴンガスが充填されたチャンバ内で、ＣＯ２を含まない雰囲気において、１６−２０ＭΩ・ｃｍの範囲の品質の水を使用する段階を含み、
前記物質は、水に溶解した塩化ナトリウムである、
請求項７に記載の方法。
【請求項９】
しっかりと安定した前記水クラスタの生成を増進する第２の材料を溶液に導入する段階をさらに備える、
請求項６に記載の方法。
【請求項１０】
水、石油成分、スキンケア成分、しっかりと安定した前記水クラスタが含まれる健康効果を生じる成分及びしっかりと安定した前記水クラスタを含む更なる材料窒素肥料を製造する工業処理で利用される材料、化学製品、繊維材料、鉛酸バッテリの材料からなる群から選択される少なくとも１つに、しっかりと安定した前記水クラスタを導入する段階をさらに備える、
請求項６に記載の方法。
【手続補正２】
【補正対象書類名】明細書
【補正対象項目名】０１０６
【補正方法】変更
【補正の内容】
【０１０６】
添付の特許請求の範囲は、新規であるとして特許保護を望む内容である。
（項目１）
しっかりと安定した水クラスタを含む製品であって、
しっかりと安定した上記水クラスタは、イオンの内部電界による電気双極子相互作用によって互いに連結された複数の水分子を含み、上記複数の水分子は永久電気双極子モーメントを含み、しっかりと安定した上記水クラスタを取り囲む電界が存在する製品。
（項目２）
しっかりと安定した上記水クラスタは、通常の室温および大気圧において安定している項目１に記載の製品。
（項目３）
しっかりと安定した上記水クラスタを含有する水を含む項目１に記載の製品。
（項目４）
しっかりと安定した上記水クラスタを含む石油成分を含む項目１に記載の製品。
（項目５）
上記石油成分は、ガス、ディーゼル、および天然ガスからなる群から選択された成分である項目４に記載の製品。
（項目６）
しっかりと安定した上記水クラスタが含まれるスキンケア成分を含む項目１に記載の製品。
（項目７）
しっかりと安定した上記水クラスタが含まれる健康効果を生じる成分を含む項目１に記載の製品。
（項目８）
上記健康効果を生じる成分は、ビタミン、ミネラル、ホルモン、およびエキスからなる群から選択された成分である項目７に記載の製品。
（項目９）
しっかりと安定した上記水クラスタを含む小さな水滴が懸濁しているエマルションの形態のしっかりと安定した上記水クラスタを含む更なる成分を含む項目１に記載の製品。
（項目１０）
しっかりと安定した上記水クラスタは、リング形状の構造を有する項目１に記載の製品。
（項目１１）
しっかりと安定した上記水クラスタの上記リング形状の構造は、５角形、６角形、および矩形からなる群から選択される項目１０に記載の製品。
（項目１２）
しっかりと安定した上記水クラスタの複数の上記リング形状の構造が接合されて、しっかりと安定した上記水クラスタのより大きな構造が形成される項目１０に記載の製品。
（項目１３）
しっかりと安定した上記水クラスタの上記より大きな構造は、線形構造、リング形状の構造、腎臓のような形状の構造、および螺旋形状からなる群から選択された形状を有する項目１２に記載の製品。
（項目１４）
しっかりと安定した上記水クラスタは、二重螺旋形状に構成される項目１に記載の製品。
（項目１５）
しっかりと安定した上記水クラスタは、ナノメートルのサイズである項目１に記載の製品。
（項目１６）
製品を製造する方法であって、
しっかりと安定した水クラスタが形成されるまで、物質を希釈水である特定の品質の水で複数倍に希釈する段階を備え、
しっかりと安定した上記水クラスタは、イオンの内部電界による電気双極子相互作用によって互いに連結された複数の水分子を含み、上記複数の水分子は永久電気双極子モーメントを含み、しっかりと安定した上記水クラスタを取り囲む電界が存在する方法。
（項目１７）
上記希釈する段階で利用される上記水の品質は、１６−２０ＭΩ・ｃｍの範囲である項目１６に記載の方法。
（項目１８）
上記希釈する段階は、ＣＯ２を含まない雰囲気において希釈する段階を含む項目１６に記載の方法。
（項目１９）
ＣＯ２を含まない上記雰囲気としてアルゴンを利用して、上記希釈をアルゴンガスが充填されたチャンバ内で行う段階をさらに備える項目１８に記載の方法。
（項目２０）
上記物質として上記水に溶解した塩化ナトリウムを利用する段階をさらに備える項目１６に記載の方法。
（項目２１）
希釈中にコンテナにアルゴンを流入させ、コンテナから上記アルゴンを流出させて、アルゴンの圧力を通常の大気よりも大きくする段階をさらに備える項目１９に記載の方法。
（項目２２）
ベンチュリ・チューブによるベンチュリ効果によって上記物質をコンテナ内に吸引させる段階をさらに備える項目１６に記載の方法。
（項目２３）
しっかりと安定した上記水クラスタの生成を増進する第２の材料を溶液に導入する段階をさらに備える項目１６に記載の方法。
（項目２４）
上記第２の材料のコロイド状の懸濁液を準備する段階をさらに備え、
上記導入する段階は、上記第２の材料の上記コロイド状の懸濁液を導入し、これにより生じた電荷スポットに、取り囲んでいる水分子および安定した水クラスタを付着させて、新たな安定した水クラスタを成長させ、且つ、第１の材料により既に生成されている安定した水クラスタをより大きく成長させる段階を有する項目２３に記載の方法。
（項目２５）
更なる材料を加えたしっかりと安定した上記水クラスタを利用して上記製品を生成する段階をさらに備える項目１６に記載の方法。
（項目２６）
上記利用する段階は、上記更なる材料中の燃料触媒として、しっかりと安定した上記水クラスタの溶液を利用する段階を有し、
上記更なる材料は、ガソリン、ディーゼル、天然ガス、ジェット燃料、重油、および石炭からなる群から選択された燃焼性燃料である項目２５に記載の方法。
（項目２７）
上記利用する段階は、製油所、発電所、および製造所からなる群から選択された、石油由来製品を製造する処理施設で利用して、コークス化を低減させるのに利用される上記更なる材料とともに、しっかりと安定した上記水クラスタを利用する段階を有する項目２５に記載の方法。
（項目２８）
上記利用する段階は、しっかりと安定した上記水クラスタを有するスキンケア製品を生成するために上記スキンケア製品に利用される上記更なる材料にしっかりと安定した上記水クラスタを導入する段階を有する項目２５に記載の方法。
（項目２９）
上記利用する段階は、健康製品を生成するために健康目的で利用される上記更なる材料にしっかりと安定した上記水クラスタの溶液を導入する段階を有する項目２５に記載の方法。
（項目３０）
上記利用する段階は、ビタミン、ミネラル、ホルモン、エキス、および医薬品からなる群から選択された健康材料である上記更なる材料にしっかりと安定した上記水クラスタを導入する段階を有する項目２９に記載の方法。
（項目３１）
上記利用する段階は、窒素肥料を製造する工業処理で利用される上記更なる材料にしっかりと安定した上記水クラスタの溶液を導入する段階を有する項目２５に記載の方法。
（項目３２）
上記利用する段階は、工業処理にしっかりと安定した上記水クラスタの溶液を導入して、液体、含有液体、化学製品、および炭化水素からなる群から選択された、上記工業処理で用いられる材料の粘度を増加させる段階を有する項目２５に記載の方法。
（項目３３）
上記利用する段階は、しっかりと安定した上記水クラスタを繊維材料に導入して、繊維を変更または補強する段階を有する項目２５に記載の方法。
（項目３４）
上記利用する段階は、しっかりと安定した上記水クラスタを鉛酸バッテリの材料に導入して、上記鉛酸バッテリの機能および寿命を向上させる段階を有する項目２５に記載の方法。